(57)【要約】【課題】金属加工の際における金属片飛散による顔全体のケガ防止、作業効率の向上、及び設置や持ち運びの利便性向上等を図ること【解決手段】本願発明に係る工作用安全装置２は、作業者の顔を覆う程度の面積を持つ透明プレート３と、スイッチ６のＯＮ・ＯＦＦにより磁界を発生・消滅させ、スイッチＯＮにより磁界を発生させた場合には金属製作業台１に本願装置２を吸着させることのできる箱型のマグネットスイッチボックス５と、マグネットスイッチボックス５を透明プレート３に一体的に取り付けるための補強プレート７ａ、７ｂと、当該安全装置２を作業台１に取り付けるための又は作業台１から取り外すための取手１６とからなることを特徴とする。【選択図】図１１
2005048937.tif 000002
【特許請求の範囲】
【請求項１】
作業者の顔を覆う程度の面積を持つ透明プレートと、スイッチのＯＮ・ＯＦＦにより磁界を発生・消滅させることのできる箱型のマグネットスイッチボックスとからなる工作用安全装置
【請求項２】
作業者の顔を覆う程度の面積を持つ透明プレートと、スイッチのＯＮ・ＯＦＦにより磁界を発生・消滅させることのできる箱型のマグネットスイッチボックスと、マグネットスイッチボックスを透明プレートに一体的に取り付けるための補強プレートからなる工作用安全装置
【請求項３】
請求項１に記載された工作用安全装置であって、当該安全装置を作業台に取り付けるための又は作業台から取り外すための取手を当該安全装置に取り付けたことを特徴とする工作用安全装置
【請求項４】
請求項２に記載された工作用安全装置であって、当該安全装置を作業台に取り付けるための又は作業台から取り外すための取手を当該安全装置に取り付けたことを特徴とする工作用安全装置
【発明の詳細な説明】
【技術分野】
【０００１】  本発明は、金属加工に従事する際における、加工物、刃具、その他の金物の金属片等の飛散による作業従事者のケガを未然に防止するための工作用安全装置に関するものである。
【背景技術】
【０００２】  従来、金属加工に従事する者は、作業の際にメガネを着用すること、あるいは透明のプレートを片手で持つことによって、金属加工の際における金属片飛散によるケガを防止してきた。【０００３】  しかし、メガネ着用の場合、目のケガを未然に防止することは出来ても、目以外の顔の部分のケガを防止するまでには至っていなかった。また、透明プレートを片手で持つことによって顔の全体に渡ってケガを防止することはできても、片手で作業することとなるので作業効率が落ち、ミスも増えるという欠点がある【０００４】  また、特許文献としては以下に示すものが存在するが、あくまでプレス作業に特化した安全装置であって、安全装置自体も３方向からワークを囲む構造と成っており、設置や持ち運びに不便である。
【特許文献１】特開平０６−０１５４９３
【発明の開示】
【発明が解決しようとする課題】
【０００５】  そこで、本発明は、上記問題を解消すべく、金属加工の際における金属片飛散による顔全体のケガ防止、作業効率の向上、及び設置や持ち運びの利便性向上等を目的としている。
【課題を解決するための手段】
【０００６】  上記目的を達成するため、請求項１に記載された発明は、作業者の顔を覆う程度の面積を持つ透明プレートと、スイッチのＯＮ・ＯＦＦにより磁界を発生・消滅させることのできる箱型のマグネットスイッチボックスとからなる工作用安全装置であることを特徴とする。【０００７】  また、請求項２に記載された発明は、作業者の顔を覆う程度の面積を持つ透明プレートと、スイッチのＯＮ・ＯＦＦにより磁界を発生・消滅させることのできる箱型のマグネットスイッチボックスと、マグネットスイッチボックスを透明プレートに一体的に取り付けるための補強プレートからなる工作用安全装置であることを特徴とする。【０００８】  さらに、請求項３に記載された発明は、請求項１に記載された工作用安全装置であって、当該安全装置を作業台に取り付けるための又は作業台から取り外すための取手を当該安全装置に取り付けたことを特徴とする。【０００９】  加えて、請求項４に記載された発明は、請求項２に記載された工作用安全装置であって、当該安全装置を作業台に取り付けるための又は作業台から取り外すための取手を当該安全装置に取り付けたことを特徴とする
【発明の効果】
【００１０】  本発明の工作用安全装置２には透明プレート３が使用されているので、当該工作用安全装置２を用いてすれば、単にメガネを着用して作業する場合と異なり、目のみならず、顔全体を金属片等の飛散によるケガから守ることができる。【００１１】  また、本発明の工作用安全装置２にはマグネットスイッチボックス５が取り付けられているので、マグネットスイッチ６をＯＮにすることによって、マグネットホルダー１２に磁界を発生させ、金属製の作業台１に吸着させることができる。作業が終わり、当該工作用安全装置２を片づけるときは、マグネットスイッチ６をＯＦＦにして金属製の作業台１から容易に取り外すことができる。【００１２】  さらに、本発明の工作用安全装置２には取手１６がついているので、当該安全装置２を作業台１に容易に取り付けることができるとともに、作業台１から容易に取り外すことができ、持ち運びにも便利である。
【発明を実施するための最良の形態】
【００１３】  本発明に係る工作用安全装置２は、透明プレート３と、マグネットスイッチボックス５とからなるが、本発明の実施環境を述べた上で、各々の構成要件について説明する。【００１４】  先ず、本発明の実施環境について述べる。本発明に係る工作用安全装置２（以下、「本装置２」とする）は、プレス加工、切削加工等の金属加工その他の工作用の安全装置として用いられるものであるが、図１、図２を見て分かるように、本装置２を使用する前提として、金属製の作業台１の存在が原則として必要となる。けだし、金属製の作業台１でなければ、本装置２のマグネットスイッチ６をＯＮにすることにより、磁気を発生させ、本装置を吸着させることができないからである。
したがって、図１のように作業台の側面に吸着させて使用することもできるし、図２のように作業台１の上面に吸着させて使用することもできる。【００１５】  なお、図２のように作業台１の上面に乗せて使用する場合は、マグネットスイッチ６をＯＮにしなくても、金属加工の際における金属片飛散による顔全体のケガを防止することができる。けだし、マグネットスイッチボックス５そのものが支持台としての役割も果たしているからである。【００１６】  以下、構成要素について述べる。【００１７】  先ず、透明プレート３について説明する。なぜ透明かと言えば、透明でなければ目前の視界が遮られてしまい作業ができないからである。本発明の目的は、目のみならず、顔全体を金属片等の飛散によるケガから守ることにあるから、透明プレート３の大きさは、少なくとも一人の作業者の顔全体を覆うことができる程度のものであれば足り、素材・形状の如何を問わない。【００１８】  次に、マグネットスイッチボックス５について説明する。マグネットスイッチボックス５は、磁界（磁力線）を発生させ又は消滅させるためのマグネットスイッチ６と、当該ボックス５の内部に存在し、マグネットスイッチ６の回転動作に伴って回転する、Ｎ極とＳ極の２つの磁極を持つマグネット１３と、当該マグネット１３の回転運動を可能にするスペースを残しつつ当該マグネット１３を取り囲むマグネットホルダー１２とからなる。そして、マグネットホルダー１２は、非磁性部材１５と磁性部材１４からなり、非磁性部材１５がいわばサンドイッチ状に両側から２つの磁性部材１４ａ、１４ｂに挟まれる格好となっている。【００１９】  そこで、図３に示すようにマグネットスイッチ６をＯＮにすると、マグネット１３のＮ極が一方の磁性部材１４ａの方を向き、マグネット１３のＳ極が他方の磁性部材１４ｂの方を向くので、非磁性部材１５を挟む両側の磁性部材１４ａ、１４ｂのうち一方の磁性部材１４ａがＮ極状態となり、他方の磁性部材１４ｂがＳ極状態となり、その結果、一方の磁性部材１４ａと他方の磁性部材１４ｂを結ぶ形で円弧状に磁界が発生する（図３における円弧状の両向き矢印を参照のこと）。そして、発生した磁界の範囲に金属製の作業台１が近付くと、本装置２が金属製の作業台１に引き付けられ吸着するのである。【００２０】  逆に、図４に示すように、マグネットスイッチボックス５をＯＦＦにするとマグネット１３のＮ極もＳ極も一方の磁性部材１４ａと他方の磁性部材１４ｂの両方にそれぞれ跨る格好となるので、非磁性部材１５を挟む両側の磁性部材１４ａ、１４ｂがともに同極状態となり、その結果、磁界が発生しなくなる。そして、これまで金属製作業台１に吸着していた本装置２が、金属製の作業台１から離れるのである。【００２１】  なお、マグネットスイッチボックス５は磁性部材等の金属からなるため、ずっしりとした安定感を有しており、本願装置２を支える支持台としての役割も果たしているので、仮にマグネットスイッチ６をＯＦＦにした状態であっても、図２のような態様で使用することも可能である。
【実施例】
【００２２】  請求項１に対応する実施例としては、図５に示すものが挙げられる（これを「第１実施例」とする）。図５に示した工作用安全装置２を分解したものを表したのが図６である。即ち、上部が作業者側に局面状に曲がっている点を除き、ほぼ平面上透明プレート３の一部にマグネットスイッチボックス５を嵌め込むための切欠４を設け、当該切欠４にマグネットスイッチボックス５を嵌め込んだものである。なお、透明である限りにおいて、透明プレート２の素材の如何を問わない。また、第１実施例のマグネットスイッチボックス５は、本願工作用安全装置１の支持台としての役割も兼ね備えさせるため箱型としているが、マグネットスイッチ６の機能が維持される限りにおいて、当該ボックスの形状の如何を問わない。さらに、マグネットホルダー１２の非磁性部材１５として使用できるものとして、例えばアルミニウムが挙げられるが、これについても、非磁性部材１５としての機能が維持される限りにおいて、当該素材の如何を問わない。【００２３】  請求項２に対応する実施例としては、図７に示すものが挙げられる（これを「第２実施例」とする）。図７に示した工作用安全装置２を分解したものを表したのが図８である。即ち、透明プレート３の一部にマグネットスイッチボックス５を嵌め込むための切欠４を設け、当該切欠にマグネットスイッチボックス５を嵌め込むのであるが、当該マグネットスイッチボックス５が透明プレート３の切欠４から外れてしまわないようにするため、Ｌ字型の２つの補強プレート７ａ、７ｂを、マグネットスイッチボックス５を左右両側面から挟み込むようにして本装置に取り付けた後、補強プレート７ａ、７ｂと透明プレート３を、補強プレート７ａ、７ｂとマグネットスイッチボックス５を、それぞれ締付具１１によって締め付けることによって完成する。なお、図８の透明プレート２、補強プレート７ａ、７ｂ、マグネットスイッチボックス５に現れている丸い穴は締付具挿入孔８，９，１０である。また、本実施例における補強プレート７は鉄製のものを使用しているが、マグネットスイッチボックス５と透明プレート３がぐらつかないよう一体的に固定できる限りにおいて、補強プレート７の素材の如何は問わない。【００２４】  請求項３に対応する実施例としては、図７に示すものが挙げられる（これを「第３実施例」とする）。図９に示した工作用安全装置２を分解したものを表したのが図１０である。即ち、第１実施例の工作用安全装置２のマグネットスイッチボックス５に棒状の取手１６を設けたものである。なお、本実施例の取手１６はたまたま棒状であるが、当該形状が本発明の本質ではないので、丸いノブのような形状であっても良く、本装置の取り付け、取り外し、持ち運びに便利である限りにおいて、取手１６の形状の如何を問わない。【００２５】  請求項４に対応する実施例としては、図１１に示すものが挙げられる（これを「第４実施例」とする）。図１１に示した工作用安全装置２を分解したものを表したのが図１２である。即ち、第２実施例の工作用安全装置２のマグネットスイッチボックス５に棒状の取手１６を設けたものである。なお、本実施例の取手１６はたまたま棒状であるが、当該形状が本発明の本質ではないので���実施例３同様、丸いノブのような形状であっても良く、本装置の取り付け、取り外し、持ち運びに便利である限りにおいて、取手１６の形状の如何を問わない。
【図面の簡単な説明】
【００２６】
【図１】本願装置を作業台の側面に吸着させて使用した場合の使用状態図
【図２】本願装置を作業台の上側面に吸着させて使用した場合の使用状態図
【図３】マグネットスイッチをＯＮにしてマグネットホルダーに磁界（磁力線）が発生している様子を表した図
【図４】マグネットスイッチをＯＦＦにした場合のマグネットホルダーの様子を表した図
【図５】本願発明の第１実施例の斜視図
【図６】本願発明の第１実施例の分解図
【図７】本願発明の第２実施例の斜視図
【図８】本願発明の第２実施例の分解図
【図９】本願発明の第３実施例の斜視図
【図１０】本願発明の第３実施例の分解図
【図１１】本願発明の第４実施例の斜視図
【図１２】本願発明の第４実施例の分解図
【符号の説明】
【００２７】１…作業台
２…工作用安全装置
３…透明プレート
４…切欠
５…マグネットスイッチボックス
６…マグネットスイッチ
７…補強プレート
８…透明プレートにおける締付具挿入孔
９…補強プレートにおける締付具挿入孔
１０…マグネットボックスにおける締付具挿入孔
１１…締付具
１２…マグネットホルダー
１３…マグネット
１４…磁性部材
１５…非磁性部材
１６…取手
【図１】
2005048937.tif 000003
【図２】
2005048937.tif 000004
【図３】
2005048937.tif 000005
【図４】
2005048937.tif 000006
【図５】
2005048937.tif 000007
【図６】
2005048937.tif 000008
【図７】
2005048937.tif 000009
【図８】
2005048937.tif 000010
【図９】
2005048937.tif 000011
【図１０】
2005048937.tif 000012
【図１１】
2005048937.tif 000013
【図１２】
2005048937.tif 000014